(57)【特許請求の範囲】
【請求項１】
所定の制御信号に基づいて，香料の放出を行う制御型芳香出力装置において，
複数の香料を格納する複数の香料格納手段と，
前記複数の香料格納手段に対応して配置され，対応する前記香料格納手段に格納されている香料を取り出して瞬時に空気中に放出する複数の香料放出手段と，
空気中に放出されて所望の合成香を得るために前記所定の制御信号に基づいて，選択された複数の香料放出手段を瞬時に作動させるよう制御する制御手段と，
前記香料の香りを打ち消す消香材を格納する複数の消香材格納手段と，
前記複数の消香材格納手段に対応して配置され，対応する前記消香材格納手段に格納されている消香材を取り出して空気中に放出する複数の消香材放出手段と，を備え，
前記制御手段は，さらに前記所定の制御信号に基づいて，前記複数の香料放出手段を選択し、かつ複数の消香材放出手段を選択することを特徴とする制御型芳香出力装置。
【請求項２】
前記制御手段は，前記香料の放出または消香を行った後，前記マイナスイオン発生手段を制御することを特徴とする請求項１に記載の制御型芳香出力装置。
【発明の詳細な説明】
【０００１】
【発明の属する技術分野】
本発明は，所定の制御信号に基づいて，香料の放出を行う制御型芳香出力装置および芳香シートに関し，より詳細には，必要に応じて，所望の香りを発生させたり，香りを変更したり，止めたり，消したりできるようにして，香りの自在制御を行えるようにした制御型芳香出力装置および芳香シートに関する。
【０００２】
【従来の技術】
一般に，人間は日常生活で様々な香りに接しながら暮らしている。香りによっては，心地よく感じる香りや，食欲をそそる香り，不愉快に感じる香りがあり，日本語では，人間がどの様に感じるかによって，香り・匂い・臭い等の文字を当てている。何れの場合も，その香りから人間は種々の情報を得ており，香りが情報伝達手段としての役割を果たしていることは明らかである。また，香りの情報が人間の感情に大きく働きかけることも知られている。
【０００３】
一方，従来から香りにかかわる商品や，装置が数多く提供されている。例えば，臭いの打ち消し（消臭）を目的とするものとして，香水・オーデコロンのように好ましい香りを付けて身体の匂いを蔽い隠すものや，トイレ用芳香剤のように固体化した芳香剤から徐々に芳香を昇華させて，空気中の悪臭を蔽い隠すようにしたものや，トレイ用消臭剤のようにトイレの臭いの物質（例えば，アンモニア）を中和する物質を固体化し，使用時に昇華させて，空気中の臭気物質と反応させて中和させるもの等がある。換言すれば，付加した香りで元の香り（臭い）を感覚的に圧倒して蔽い隠す隠蔽剤と，化学的に反応させて元の香り（臭い）の分子のもつ働きをなくす脱臭剤とに大別できる。
【０００４】
また，香りの情報が人間の感情に大きく働きかけることを利用したものとして，アロマテラピー等で知られるように，好ましい香りで環境（空気中）を満たしてリラクゼーション効果を促すようにしたものがある。例えば，香料を蒸発させたり，線香を焚くことで好ましい香りを空気中に放出するようにした商品や等が提供されている。また，『香りと環境』（空気調和・衛生工学会編，岩橋基行著，理工学図書株式会社発行）の空調接続型香りシステムに開示されるように，香り発生装置を持ち，発生させた香りを空調機のダクトに混入させて部屋全体に香りを流すようにしたシステムも提供されている。
【０００５】
なお，上記空調接続型香りシステムにおいては，香り発生装置の電源スイッチのＯＮ・ＯＦＦ信号や，数種類ある香りの切換信号を制御信号と捕らえた場合，該制御信号に基づいて，香料の放出を行う制御型芳香出力装置として定義することができる。
【０００６】
さらに，古来より，香道においては，限られた数種類の元になる香りを調合（合成）して，種々の香りを発生させることが行われている。
【０００７】
また，近年，一説として，匂い（香り）の元となる“原臭”は２０ないし３０ぐらいあるであろうと推定する説が提唱されている。
【０００８】
【発明が解決しようとする課題】
しかしながら，上記従来の技術によれば，それぞれの用途に応じて，好ましい香りを発生させる装置や，不愉快な香り（臭い）を打ち消したりする装置が個別に提供されているものの，あらかじめ定められた特定の好ましい香りを発生すること，または不愉快な香り（臭い）を打ち消すことを前提としているため，香りを情報として扱うことができないという問題点があった。
【０００９】
換言すれば，従来の技術によれば，香りの情報に基づいて，香りの放出を制御したり，または香りの放出および香りの打ち消しを制御するようにした装置は提供されていなかった。
【００１０】
本発明は上記に鑑みてなされたものであって，一台の装置で，必要に応じて，所望の香りを発生させたり，香りを変更したりできるようにして，香りを情報として扱える制御型芳香出力装置を提供することを目的とする。
【００１１】
また，本発明は上記に鑑みてなされたものであって，一台の装置で，必要に応じて，所望の香りを発生させたり，香りを変更したり，香りを止めたり，香りを消したりできるようにして，香りを情報として扱える制御型芳香出力装置を提供することを目的とする。
【００１２】
【課題を解決するための手段】
上記の目的を達成するために，請求項１に係る発明は、所定の制御信号に基づいて，香料の放出を行う制御型芳香出力装置において，複数の香料を格納する複数の香料格納手段と，前記複数の香料格納手段に対応して配置され，対応する前記香料格納手段に格納されている香料を取り出して瞬時に空気中に放出する複数の香料放出手段と，空気中に放出されて所望の合成香を得るために前記所定の制御信号に基づいて，選択された複数の香料放出手段を瞬時に作動させるよう制御する制御手段と，前記香料の香りを打ち消す消香材を格納する複数の消香材格納手段と，前記複数の消香材格納手段に対応して配置され，対応する前記消香材格納手段に格納されている消香材を取り出して空気中に放出する複数の消香材放出手段と，を備え，前記制御手段は，さらに前記所定の制御信号に基づいて，前記複数の香料放出手段を選択し，かつ複数の消香材放出手段を選択することを特徴とする。
【００１３】
また、請求項２にかかる発明は，請求項１に記載の制御型芳香出力装置において，前記制御手段は，前記香料の放出または消香を行った後，前記マイナスイオン発生手段を制御することを特徴とする。
【００４５】
【発明の実施の形態】
以下，本発明の制御型芳香出力装置および芳香シートについて，〔実施の形態１〕〜〔実施の形態９〕の順で，図面を参照して詳細に説明する。
【００４６】
〔実施の形態１〕
図１は，実施の形態１の制御型芳香出力装置１００のブロック構成図を示し，それぞれ異なる種類の香料を格納する複数の香料格納部１０１と，複数の香料格納部１０１に対応して配置され，対応する香料格納部１０１に格納されている香料を取り出して空気中に放出する複数の香料放出器１０２と，香料の香りを打ち消すための消香液（消香材）を格納する複数の消香液格納部１０３と，複数の消香液格納部１０３に対応して配置され，対応する消香液格納部１０３に格納されている消香液を取り出して空気中に放出する複数の消香液放出器１０４と，装置外部から所定の制御信号を入力するためのＩ／Ｆ（インターフェース）回路１０５と，Ｉ／Ｆ回路１０５を介して入力した制御信号に基づいて，複数の香料放出器１０２および複数の消香液放出器１０４を制御して，香料の放出および消香を行う制御部１０６と，複数の香料放出器１０２または複数の消香液放出器１０４から放出された香料または消香液を装置外部へ送出するための送風ファン１０７と，から構成される。なお，図において，１０８は香料または消香液を送り出すための送風口，１０９は装置外部から空気を取り込むための吸入口を示す。
【００４７】
図２は，実施の形態１の香料放出器１０２および消香液放出器１０４の構成図を示す。なお，香料放出器１０２と消香液放出器１０４とは同一の構成であるため，ここでは香料放出器１０２を例として説明する。
【００４８】
実施の形態１の香料放出器１０２は，ピエゾ素子を用いたオンデマンド型のインクジェットプリンターのヘッドと同じ構造にしたものであり，インクの替わりに香料（芳香液）を流入させて，香料を噴射するものである。図において，２０１，２０２はピエゾ素子，２０３，２０４はキャビティ，２０５は香料流入口，２０６はノズルを示し，香料を噴射させる場合には，ピエゾ素子２０１，２０２のピエゾ駆動信号を同期させて駆動し，停止する場合にはピエゾ駆動信号を停止させる。
【００４９】
図３は，実施の形態１の香料放出器１０２，香料格納部１０１，消香液放出器１０４および消香液格納部１０３の具体的な配置例を示す説明図である。実施の形態１では，インクジェットタイプの液体放出器（Ａ１〜Ａ１３およびＢ１〜Ｂ１３）を２６個配置し，それぞれに対応させて液体格納部（Ａ１’〜Ａ１３’およびＢ１’〜Ｂ１３’）を配置したものである。なお，ここで，液体格納部はインクジェットタイプのカートリッジから成るものとする。
【００５０】
また，図において，液体放出器Ａ１〜Ａ１３のそれぞれが香料放出器１０２に相当し，液体放出器Ｂ１〜Ｂ１３のそれぞれが消香液放出器１０４に相当する。また，液体放出器Ａ１〜Ａ１３に対応して配設された液体格納部Ａ１’〜Ａ１３’のそれぞれが香料格納部１０１に相当し，液体放出器Ｂ１〜Ｂ１３に対応して配設された液体格納部Ｂ１’〜Ｂ１３’のそれぞれが消香液格納部１０３に相当する。
【００５１】
液体放出器Ａ１〜Ａ１３と液体放出器Ｂ１〜Ｂ１３は，図示の如く，それぞれ交互に配置されており，同様に液体格納部Ａ１’〜Ａ１３’と液体格納部Ｂ１’〜Ｂ１３’も交互に配置されている。
【００５２】
香料格納部１０１である液体格納部Ａ１’〜Ａ１３’のうち，液体格納部Ａ１’〜Ａ５’には，原臭となる５種類の香料（例えば，楡の香り，杉の香り，檜の香り，松の香り，桜の香り）の何れか一つがそれぞれ格納されており，液体格納部Ａ６’〜Ａ１３’には，単独の香りがそのものの香りとなる香料（例えば，リンゴの香り，レモンの香り，バナナの香り，パイナップルの香り等の匂いの元となる各種エステル）が格納されている。
【００５３】
消香液格納部１０３である液体格納部Ｂ１’〜Ｂ１３’には，対応する液体格納部Ａ１’〜Ａ１３’に格納されている香料の成分を中和して香りの効果を消すための消香液がそれぞれ格納されている。例えば，液体格納部Ｂ１’には液体格納部Ａ１’の香料を中和する消香液が格納されており，液体格納部Ｂ２’には液体格納部Ａ２’の香料を中和する消香液が格納されている。
【００５４】
ここで，さらに図２２を参照して，実施の形態１の制御部１０６の具体的な構成例について説明する。制御部１０６は，図示の如く，液体放出器Ａ１〜Ａ５および液体放出器Ｂ１〜Ｂ５を駆動する駆動回路２２０１と，液体放出器Ａ６〜Ａ１３および液体放出器Ｂ６〜Ｂ１３を駆動する駆動回路２２０２と，駆動回路２２０１を制御する制御回路２２０３と，駆動回路２２０２および送風ファン１０７を制御する制御回路２２０４と，から構成される。なお，図示を省略するが，Ｉ／Ｆ回路１０５からの制御信号は制御回路２２０３，２２０４の両方に入力されている。
【００５５】
制御回路２２０３および制御回路２２０４は，駆動回路２２０１および駆動回路２２０２を選択して，目的の芳香を放出すべく，制御を行う。
【００５６】
制御回路２２０３は，駆動回路２２０１を介して液体放出器Ａ１〜Ａ５のどれか一つを選ぶか，または同時に複数選ぶことができ，これらを選択して駆動することにより，所望の香りの要素を単独または合成して放出することができる。これらを駆動することにより，所望の香りを効率的に調香（香りの調合）をしながら空気中に放出することができる。一旦，このように調香した香りを放出した後に，別の香りを調合して放出したい場合は，その前に駆動回路２２０１を介して先に放出した香りの液体放出器Ａ１〜Ａ５に対応する液体放出器Ｂ１〜Ｂ５を選び，それぞれに対応する消香液を放出するべく駆動する。この操作により，概略，直前の香りを消すことができるが，完全では無いことが多いので，図１８のマイナスイオン発生器を働かせ空気中の香りの消臭効果を促進させる。
【００５７】
制御回路２２０４は，駆動回路２２０２を介して液体放出器Ａ６〜Ａ１３のどれか一つを選ぶか，または同時に複数選ぶことができ，これらを選択して駆動することにより，単独の香りとなる香料（例えば，リンゴの香り，レモンの香り，バナナの香り，パイナップルの香り等の匂いの元となる各種エステル）の一つを放出し，リンゴならリンゴの香り，バナナならバナナの香り，として味わせることができる。また，バナナとパイナップル等複数の香りを同時に放出して，果物屋さんの店先で感じるような匂いを放出することもできる。また，先に放出した香りとは別の香りを放出したいときは先に放出した液体放出器Ａ６〜Ａ１３の香りに対応する消香液の液体放出器Ｂ６〜Ｂ１３を駆動回路２２０２を介して駆動し，消香液を放出することにより，香りの中和（消臭）を行うことができる。やはり，この操作だけでは概略，香りを消すことができるが，完全では無いことが多いので，図１８のマイナスイオン発生器を働かせ空気中の香りの消臭効果を促進させる。
【００５８】
以上の構成において，制御部１０６は，Ｉ／Ｆ回路１０５を介して外部装置から入力した制御信号に基づいて，液体放出器Ａ１〜Ａ１３および／または液体放出器Ｂ１〜Ｂ１３を制御して，香料の放出あるいは消香を行う。
【００５９】
例えば，原臭となる５種類の香料が格納されている液体格納部Ａ１’〜Ａ５’を用いて香りを発生させる場合，液体放出部Ａ１〜Ａ５の何れか一つを選ぶかまたは同時に複数選ぶことにより，香りを合成して放出させることができる。
【００６０】
このようにｎ個（ここでは５個）の香料格納部１０１および香料放出器１０２を用意することにより，２n −１種類の香りを発生させることができる。すなわち，ここでは，２5 −１＝３１種類の香りを発生させることができる。近年，香りの原臭は２０ないし３０ぐらいあるであろうと推定する説があるが，この説に従えば，２０個ないし３０個の香料格納部１０１および香料放出器１０２を用意することにより，所望の香りを合成することが可能となる。具体的には，楡の香り，杉の香り，檜の香り，松の香り，桜の香りの匂いを抽出した物質が液体格納部Ａ１’〜Ａ５’に格納されている場合には，所望の組み合わせで香りを発生させることができ，香りの情報によって森林浴のイメージを提供することができる。
【００６１】
また，例えば，あらかじめ，単独で一つの香りがそのものの香りとなる香料を格納した液体格納部Ａ６’〜Ａ１３’を用いて香りを発生させる場合，必要なときに対応する液体放出部Ａ６〜Ａ１３を駆動して香りを放出することにより，所望の香り情報を出力することができる。具体的には，リンゴの香り，レモンの香り，バナナの香り，パイナップルの香り等を放出することにより，香りの情報によって果物屋の店先のイメージ等を提供することができる。
【００６２】
また，香りを放出した後，必要に応じて該当する香りを消香する場合，制御部１０６は，液体放出器Ｂ１〜Ｂ１３を制御して，消香液を放出して，香りを消香する。例えば，液体放出部Ａ６，Ａ８から香りを放出した後は，液体放出部Ｂ６，Ｂ８を駆動して対応する消香液を放出し，効率良く香りの消去を行うことができる。
【００６３】
なお，実施の形態１では，図３に示したように１３個の香料放出器１０２（液体放出部Ａ１〜Ａ１３）を用いた場合を示したが，特にこれに限定するものではなく，香料放出器１０２の数をいくらでも増やすことができるもは勿論である。また，香料格納部１０１に格納する香料の香りも，例えば，昆布，蛤，秋刀魚，潮の香り等を用いて，磯辺の香り情報を提供することもできる。また，薔薇，菊，百合，梅等の花の香りを格納しても良い。さらには，消香用を一部あるいは全部取り除いた構成でも本発明の本質を変えるものではない。
【００６４】
図４（ａ）は，制御型芳香出力装置１００をパソコン（またはワークステーション）４０１の出力装置として接続した例を示し，図４（ｂ）は制御型芳香出力装置１００をネットワーク（例えば，インターネット，パソコン通信）に直接またはパソコン４０１を介して接続し，ホスト装置４０２の出力装置として接続した例を示す説明図である。なお，ホスト装置４０２は，ここに図示したネットワークの外部との通信が可能な機能（通信回線としては通常の電話回線でも専用回線でも可能）を持っている。その先は単に制御型芳香出力装置だけでもパソコン（またはワークステーション）の出力装置としてもよく，あるいは他のＬＡＮなどのネットワークでもよい。このようにすればどこでも誰でも香りの情報を送ることができる。
【００６５】
例えば，ホスト装置４０２側で，ＷＷＷ（ワールド・ワイド・ウェブ）のホームページで仮想商店街を設定した場合，果物屋さん，花屋さん，パン屋さん等の香りを演出することができる。果物屋さんの場合，今日はバナナあるいはパイナップルをアピールしたいのであれば，その香りに対応する制御信号を送るように設定しておき，ユーザがそのサイトを訪問したとき，店内の紹介画面や，音楽等の信号と並行して香り情報の制御信号を送る。ユーザ側は，パソコン４０１のディスプレーで紹介画面を見ると同時に，制御型芳香出力装置１００から放出されるバナナやパイナップルの香りを嗅ぐことができ，果物屋さんの店先にきた雰囲気を感じることができる。また，これらの香りを嗅いだことによって，欲しいという欲求がおき，注文を促すことができるかも知れない。
【００６６】
また，インターネットのＥ−ｍａｉｌ等の情報交換手段にもテキスト情報だけでなく，香りの情報（制御信号）をコード化しておいて，テキスト情報と共に送ることができ，送り手側と受け手側の両者で共通の香り出力装置（制御型芳香出力装置１００）を保有すれば，共通の香りを楽しむことができ，より豊かな情報交換ができる。
【００６７】
図５は，制御型芳香出力装置１００をテレビ５０１の出力装置として接続した例を示す。換言すれば，テレビジョン放送の放送信号に香り情報の制御信号を組み込んで配信し，テレビ５０１で受信した香り情報の制御信号に基づいて，制御型芳香出力装置１００から香りを放出するようにしたものである。
【００６８】
香り情報の制御信号の情報量は，映像信号や音声信号に比べて非常に少なく，また文字放送の文字コードの情報量と比べても少ないので，既存の放送信号の中で，画像信号や音声信号の隙間に入れ込むことが極めて容易である。
【００６９】
具体的な使用方法としては，森林内に入ったときの映像と共に木の香りを送りたいときや，海辺でのインタビューの場面で，磯の香りを送りたいとき等，映像や音声と共に，その場の雰囲気を伝えたいときに用いることができる。
【００７０】
図６は，制御型芳香出力装置１００をエアコン（空調機器）６０１の出力装置として接続した例を示し，冷房時，暖房時，単純送風時等のモード信号を利用して，それに相応しい香りを放出するようにする。例えば，冷房時にはハーブ系の香りを放出するようにし，暖房時には甘い香り（カルメラ等）や，南国系の香り（マンゴ，パパイヤ，パイナップル等）を放出するようにし，単純送風時には，木の香りを放出するようにする。
【００７１】
なお，図６では，エアコン６０１と制御型芳香出力装置１００を別体とした例を示したが，例えば，制御型芳香出力装置１００をエアコン６０１の送風口に取り付ける構成でも良い。
【００７２】
前述したように実施の形態１では，一台の装置で，必要に応じて，所望の香りを発生させたり，香りを変更したり，香りを止めたり，香りを消したりできるので，香りを情報として扱うことができる。
【００７３】
また，実施の形態１の制御型芳香出力装置１００によれば，香りの情報を制御信号として扱うことができるので，情報提供者が必要なときに制御信号を用いて香りの情報を提供することができる。また，自分の気分にしたがって，所望の香りを発生させたり，止めたりすることができる。例えば，落ち着きたいとき，活動的になりたいとき，ムードを演出したいとき等，香りを使い分けることができる。
【００７４】
また，実施の形態１では，香料放出器１０２および消香液放出器１０４の構造として，図２で示したようにピエゾ素子を用いたオンデマンド型のインクジェットプリンターのヘッドと同じ構造を用いたが，バブルジェットタイプのヘッドを用いても良い。換言すれば，オンデマンド型であれば，放出方式（駆動方式）は何でもよい。この場合には，香料格納部１０１および消香液放出器１０４がバブルジェットタイプのカートリッジから成ることは勿論である。
【００７５】
〔実施の形態２〕
実施の形態２は，実施の形態１と同様の構成において，香料放出器１０２および消香液放出器１０４を，霧状に液体を噴霧する霧吹き装置で構成したものである。なお，その他の構成は実施の形態１と同様につき，説明を省略する。
【００７６】
図７は，実施の形態２の霧吹き装置７０１（香料放出器１０２または消香液放出器１０４）の構造を示す説明図である。液体格納部７０２（香料格納部１０１または消香液格納部１０３）のノズル７０２ａの口元に空気ノズル７０１ａを取り付け，空気を噴出させて液体（香料または消香液）を霧状に放出させる。空気は，圧搾空気タンク７０１ｂ中の圧搾空気を電磁バルブ７０１ｃを介して空気ノズル７０１ａから噴出させる。なお，この場合，圧搾空気タンク７０１ｂの替わりに，圧搾ポンプを用いても良い。また，圧搾空気を液体格納部７０２の液体中に吹き込んでノズル７０２ａから噴出させる構成でも良い。
【００７７】
実施の形態２によれば，実施の形態１と比較して，一時に大量の香料または消香液を噴出させる場合に適している。
【００７８】
〔実施の形態３〕
実施の形態３の制御型芳香出力装置は，香料または消香材は液状のものでも剤状のものでも用いることができ，ここでは説明の都合上液状のもので説明する。本発明の香料格納手段および消香材格納手段を，それぞれ香料または消香液を内包した複数の樹脂カプセルで構成し，さらに該複数の樹脂カプセルをシート上にかつスプライト状に塗布してロールシートとすると共に，該樹脂カプセルを塗布したロールシートの構成に対応させ，本発明の香料放出手段および消香材放出手段を，加圧または加熱によって該樹脂カプセルを破壊し，該樹脂カプセルに内包されている香料または消香液を空気中に放出する構成としたものである。
【００７９】
なお，実施の形態３の機能的な構成は，図１で示した実施の形態１の制御型芳香出力装置のブロック構成図と同様であるため，ここでは異なる部分のみを説明する。また，ここでは加圧によって該樹脂カプセルを破壊する場合を例として説明する。
【００８０】
図８（ａ），（ｂ）は，実施の形態３の樹脂カプセルを塗布したロールシート（本発明の芳香シート）８００の構造を示す説明図である。ここで，樹脂カプセル８０１が本発明の香料格納手段および消香材格納手段に相当し，樹脂カプセル８０１内には香料または消香液を内包されている。同図（ａ）において，８０２はテープ状のベース素材（シート）を示し，８０３はベース素材８０２上に塗布された樹脂カプセル８０１を固定するためのバインダーを示す。ベース素材８０２としては，紙や布，さらにはポリエステル等の樹脂でも良い。このように樹脂カプセル８０１が塗布されたベース素材８０２を巻き取ってロールシート８００とする。
【００８１】
また，同図（ｂ）に示すように，ロールシート８００は，複数のテープ状の領域Ａ１’〜Ａ１３’および領域Ｂ１’〜Ｂ１３’に分けられており，領域Ａ１’〜Ａ１３’が香料格納部１０１に相当し，領域Ｂ１’〜Ｂ１３’が消香液格納部１０３に相当する。換言すれば，香料格納部１０１と消香液格納部１０３の配置は，基本的に図３の液体格納部Ａ１’〜Ａ１３’と液体格納部Ｂ１’〜Ｂ１３’と同様の配置である。なお，ここでは，１３種類の香料と１３種類の消香液を塗布した例を示している。
【００８２】
この構成は，一般的に使用されているノーカーボン紙タイプの複写紙において，通常塗布されているジアゾ染料の替わりに，香料または消香液を内包した樹脂カプセル８０１を配置したものであり，作製は容易である。
【００８３】
このロールシート８００上の樹脂カプセル８０１にある一定以上の圧力を加えると破壊され，内包物（香料または消香液）が放出される。
【００８４】
図９は，実施の形態３の香料放出手段および消香材放出手段の構成を示す説明図である。樹脂カプセル８０１が塗布されたロールシート８００の一端を，圧力受け台９０１と各コロ９０２との間を通して巻取り側のロールに巻き付けて巻取りモータ９０３で巻き取るように設定してある。
【００８５】
各コロ９０２は，それぞれ対応するアーム９０４を介して支点９０５の反対側の電磁プランジャー９０６の作動により圧力受け台９０１側に押しつけられるように保持されている。なお，簡単のため図示を省略するが，ロールシート８００を挟んで圧力受け台９０１と対向する位置には，上記コロ９０２，アーム９０４，支点９０５および電磁プランジャー９０６を１ユニットとして，図８（ｂ）に示したロールシート８００上の領域Ａ１’〜Ａ１３’および領域Ｂ１’〜Ｂ１３’に対応するように，Ａ１〜Ａ１３およびＢ１〜Ｂ１３の２６ユニット配置されている。
【００８６】
以上の構成において，香りを発生させる場合，所望の香りの情報を制御信号として，制御型芳香出力装置へ転送すると，制御部１０６が，制御信号に基づいて，ユニットＡ１〜Ａ１３のうちの対応するユニットの電磁プランジャー９０６を駆動して，コロ９０２を圧力受け台９０１へ押し当てることにより，ロールシート８００上の該当する領域（複数のテープ状の領域Ａ１’〜Ａ１３’の所望の領域）の樹脂カプセル８０１を破壊する。これによって，樹脂カプセル８０１に内包されていた香料が空気中に放出される。ただし，徐々に消香させようとする場合，必ずしも消香液を放出させなくても良い。
【００８７】
また，香りを停止させる場合には，樹脂カプセル８０１を破壊して放出した香料と対応する消香液が格納されているユニット（Ｂ１〜Ｂ１３の何れか）の電磁プランジャー９０６を駆動して，コロ９０２を圧力受け台９０１へ押し当てることにより，ロールシート８００上の該当する領域（複数のテープ状の領域Ｂ１’〜Ｂ１３’の所望の領域）の樹脂カプセル８０１を破壊する。これによって，樹脂カプセル８０１に内包されていた消香液が空気中に放出される。ただし，徐々に消香させようとする場合，必ずしも消香液を放出させなくてもよい。
【００８８】
このようにして香料の放出および消香液の放出が終了すると，巻取りモータ９０３の回転によって使用済みのロールシート８００が巻取り側のロールに巻き取られる。
【００８９】
なお，コロ９０２を圧力受け台９０１へ押し当てることにより，コロ９０２とロールシート８００の接触面積に応じた所定の数の樹脂カプセル８０１が破壊されるので，所定量の香料または消香液が放出された後，自動的に香料または消香液の放出が停止するが，例えば，コロ９０２を押し当てながら巻取りモータ９０３を回転させることにより，連続して所望の量の香料または消香液の放出が行えることは明らかである。先に述べた通り，香料あるいは消香液は香剤または消香剤を用いても同様の機能を得ることができる。
【００９０】
前述したように実施の形態３によれば，一台の装置で，必要に応じて，所望の香りを発生させたり，香りを変更したり，香りを止めたり，香りを消したりできるので，香りを情報として扱うことができ，実施の形態１と同様の効果を奏することができる。
【００９１】
また，実施の形態３によれば，ロールシート（芳香シート）を用いるので，香料または／および消香材の取扱いが容易であり，さらに放出制御を容易に行うことができる。
【００９２】
さらに，図９で示した実施の形態３の構成に加えて，樹脂カプセル８０１を破壊して使用した後の使用済みのロールシート８００上を覆うためのシール部材を配置し，巻取り側のロールにロールシート８００を巻き取る際に，該シール部材をロールシート８００上へ貼付しながら巻き取ることにより，使用済みの樹脂カプセル８０１をシール部材で覆い，残留する香料または消香液を密封するようにしても良い。これによって，香料および消香液の放出停止を速やかに行うことができる。
【００９３】
〔実施の形態４〕
実施の形態４の制御型芳香出力装置は，実施の形態１の液体の香料（芳香液）および消香液に替えて，熱昇華型の香料および熱昇華型の消香剤を用いたものである。また，実施の形態４の制御型芳香出力装置は，熱昇華型の香料および熱昇華型の消香剤を直接シート上にかつスプライト状に塗布して感熱タイプのロールシート（香料格納手段および消香剤格納手段）を形成すると共に，該感熱タイプのロールシートの構成に対応させ，本発明の香料放出手段および消香剤放出手段を，加熱によって前記熱昇華型の香料および熱昇華型の消香剤を溶かして，香料または消香剤を空気中に放出する構成としたものである。
【００９４】
なお，基本的な構成および制御動作は実施の形態１と同様につき，ここでは異なる部分のみを説明する。
【００９５】
図１０は，実施の形態４の制御型芳香出力装置１０００のブロック構成図を示し，それぞれ異なる種類の熱昇華型の香料を格納する複数の香料格納部１００１と，複数の香料格納部１００１に対応して配置され，対応する香料格納部１００１に格納されている香料を加熱昇華させて空気中に放出する複数の香料放出器１００２と，香料の香りを打ち消す昇華型の消香剤を格納する複数の消香剤格納部１００３と，複数の消香剤格納部１００３に対応して配置され，対応する消香剤格納部１００３に格納されている消香剤を加熱昇華させて空気中に放出する複数の消香剤放出器１００４と，装置外部から所定の制御信号を入力するためのＩ／Ｆ（インターフェース）回路１００５と，Ｉ／Ｆ回路１００５を介して入力した制御信号に基づいて，複数の香料放出器１００２および複数の消香剤放出器１００４を制御して，香料の放出および消香を行う制御部１００６と，複数の香料放出器１００２または複数の消香剤放出器１００４から放出された香料または消香剤を装置外部へ送出するための送風ファン１００７と，から構成される。なお，図において，１００８は香料または消香剤を送り出すための送風口，１００９は装置外部から空気を取り込むための吸入口を示す。
【００９６】
図１１（ａ），（ｂ）は，実施の形態４の感熱タイプのロールシート（芳香シート）１１００の構造を示す説明図である。ここで，１１０１が熱昇華型の香料（または消香剤）を示す。同図（ａ）において，１１０２はテープ状のベース素材（シート）を示し，１１０３はベース素材１１０２上に塗布された熱昇華型の香料（または消香剤）１１０１を固定するためのバインダーを示す。ベース素材１１０２としては，紙や布，さらにはポリエステル等の樹脂でも良い。このように熱昇華型の香料（または消香剤）１１０１が塗布されたベース素材１１０２を巻き取ってロールシート１１００とする。
【００９７】
また，同図（ｂ）に示すように，ロールシート１１００は，複数のテープ状の領域Ａ１’〜Ａ１３’および領域Ｂ１’〜Ｂ１３’に分けられており，領域Ａ１’〜Ａ１３’が香料格納部１００１に相当し，領域Ｂ１’〜Ｂ１３’が消香剤格納部１００３に相当する。換言すれば，香料格納部１００１と消香剤格納部１００３の配置は，基本的に図３の液体格納部Ａ１’〜Ａ１３’と液体格納部Ｂ１’〜Ｂ１３’と同様の配置である。なお，ここでは，１３種類の香料と１３種類の消香剤を塗布した例を示している。
【００９８】
このロールシート１１００上をある程度加熱すると，熱昇華型の香料（または消香剤）１１０１が昇華して，香料または消香剤が空気中に放出される。
【００９９】
図１２および図１３は，実施の形態４の香料放出手段および消香剤放出手段であるサーマルヘッド１２０１の配置および構造を示す説明図である。ロールシート１１００は，図示の如く，その一端をプラテンローラ１２０２とサーマルヘッド１２０１との間を通して巻取り側のロールに巻き付けられており，サーマルヘッド１２０１でロールシート１１００を加熱して，香料または消香剤を放出させ，使用済みのロールシート１１００を巻取りモータ（図示せず）で巻き取る構成である。
【０１００】
サーマルヘッド１２０１による香料（または消香剤）の放出制御は，公知の技術を利用することができる。例えば，図１３（ａ），（ｂ）に示すように，共通電極１３０１と所望の電極（個別の電極）１３０２との間にパルス電圧を印加することによって，所望の位置の抵抗体１３０３を発熱させて，対応する位置のロールシート１１００上の熱昇華型の香料（または消香剤）１１０１を溶かして，香りを放出させる。
【０１０１】
前述したように実施の形態４によれば，一台の装置で，必要に応じて，所望の香りを発生させたり，香りを変更したり，香りを止めたり，香りを消したりできるので，香りを情報として扱うことができ，実施の形態１と同様の効果を奏することができる。この実施の形態４の香料格納手段および消香剤（液）は実施の形態３の加熱破壊型カプセルを塗布したもの，すなわち，図８のカプセル８０１を熱で容易に破壊される樹脂で構成したものを用いることもできて，他は実施の形態４と同様の構成で同様の効果を得ることができる。
【０１０２】
また，実施の形態４によれば，香料格納手段および消香剤格納手段として，香料および消香剤を直接シート上にかつスプライト状に塗布した感熱タイプのロールシート（芳香シート）を用いるので，取扱いが容易であると共に，安価に形成することができる。
【０１０３】
さらに，香料放出手段および消香剤放出手段として，サーマルヘッドを用いることができるので，簡単かつ安価に構成することができる。
【０１０４】
〔実施の形態５〕
実施の形態５は，本発明の制御型芳香出力装置を卓上型環境コンデイショナーに適用した例を示す。実施の形態５では，香りの合成内容を記録した磁気カード（外部記録媒体）から香りの合成内容を制御信号として入力し，入力した制御信号に基づいて，該当する合成内容の香りを合成すると共に，温度センサー，湿度センサーまたは匂いセンサー等の環境を検知するセンサーから制御信号を入力して，該制御信号に基づいて香料の放出および消香を行うものである。
【０１０５】
図１４は，実施の形態５の制御型芳香出力装置である卓上型環境コンデイショナー１４０１の外観図を示し，図１５は，実施の形態５の制御型芳香出力装置である卓上型環境コンデイショナー１４０１の電気回路図を示す。磁気カード１４０２は，例えば，テレホンカードと同様の構成で良く，表面に絵や写真を印刷しておき，裏面には磁気皮膜が塗布してある。磁気皮膜には後述する磁気ヘッドで読み取るべく，香りの情報である制御信号が記録されている。
【０１０６】
卓上型環境コンデイショナー１４０１側には，吸気口１４０３と芳香放出口１４０４が配設されており，内部には送風ファン（図１５参照）ＦＮが配設されている。上部のカード挿入口１４０５の直後にはマイクロスイッチ（カード検知スイッチ）ＭＳとカード搬送用ローラ（図示せず）が設けられており，磁気カード１４０２が挿入されると，モーターＭが回転（正転）して磁気カード１４０２を内部に送り込む。このとき，カード搬送用ローラの直後に配置されている磁気ヘッドによって磁気カード１４０２に記録されている情報が読み取られる。
【０１０７】
磁気カード１４０２の終端がカード搬送用ローラを通過する直前に，磁気カード１４０２の先端がプランジャースイッチＰＳを切り換えるので，プランジャーＰに通電がなされ，プランジャースイッチＰＳの切り換え状態が保持されると同時にモーターＭが逆回転し，磁気カード１４０２を逆向きに搬送して磁気カード１４０２を排出する。
【０１０８】
磁気カード１４０２が排出されると，マイクロスイッチＭＳがオフとなり，プランジャーＰの電源が切れて，プランジャースイッチＰＳが初期状態に戻る。なお，図１５において，Ｅは電源，Ｄはダイオード，１５０１は芳香発生ユニットを示す。
【０１０９】
図１６は，卓上型環境コンデイショナー１４０１の芳香発生ユニット１５０１のブロック図を示し，前述した磁気ヘッドは磁気カードリーダー１６０１の一部であり，磁気カードリーダー１６０１は磁気カード１４０２上の磁気信号を読み取って，電気信号（デジタル信号）に変換し，制御信号としてＣＰＵ１６０２へ送出する。
【０１１０】
センサーＡは，温度センサー（サーミスター）であり，アンプＡで増幅とＡ／Ｄ（アナログ／デジタル）変換をして，温度検知信号をＣＰＵ１６０２へ送出する。
【０１１１】
センサーＢは，湿度センサー（サーミスター２個の組み合わせ）であり，アンプＢで増幅とＡ／Ｄ（アナログ／デジタル）変換をして，湿度検知信号をＣＰＵ１６０２へ送出する。
【０１１２】
センサーＣは，匂いセンサー（金属酸化物半導体等）であり，アンプＣで増幅とＡ／Ｄ（アナログ／デジタル）変換をして，匂い検知信号をＣＰＵ１６０２へ送出する。
【０１１３】
ＣＰＵ１６０２は，実施の形態５の制御手段の役割を果たし，磁気カードリーダー１６０１の制御信号，センサーＡ〜Ｃの検知信号を入力し，ＲＯＭ１６０３に記憶されている手順に従って，その内容をＲＡＭ１６０４に一時記憶する。
【０１１４】
ＲＯＭ１６０３は，ＣＰＵ１６０２で実行する各種制御プログラムを格納しており，ＲＡＭ１６０４は，ワークエリアとして使用される。
【０１１５】
なお，図において，１６０５はタイマーを示し，１６０６は香料・消香液を放出する香料・消香液放出器を示し，１６０７は香料・消香液放出器の駆動回路を示す。香料・消香液放出器１６０６としては，例えば，図２で示した実施の形態１の香料放出器１０２および消香液放出器１０４を簡略化した構成を適用することができ，特に限定する必要はない。
【０１１６】
以上の構成において，その動作を説明する。磁気カード１４０２が挿入された場合，ＣＰＵ１６０２は磁気カード１４０２の内容（磁気カードリーダー１６０１で読み取った制御信号）に基づいて，指定された香りを放出（または指定された香りが合成）されるように駆動回路１６０７を制御し，香料・消香液放出器１６０６から香りを放出する。
【０１１７】
また，その後，別の磁気カード１４０２が挿入されると，先に放出していた香りに対応する消香液を一定時間放出して，香りの消去を行った後，次の磁気カード１４０２で指定された香りの放出を行う。ただし，消香のタイミングとしては消香用の磁気カード１４０２が挿入された場合にのみ，先に放出していた香りに対応する消香液を一定時間放出して，消香を行うようにしても良い。
【０１１８】
一方，卓上型環境コンデイショナー１４０１の電源スイッチがオンされた後，タイマー１６０５が一定時間経過しても磁気カード１４０２が挿入されない場合，所定時間毎（例えば，数分毎）に各センサーＡ，Ｂ，Ｃの内容を読み取り，その内容に基づいて，香料の放出内容を決定して，香料の放出を行う。
【０１１９】
例えば，１８℃以下の場合は，肌寒い気温であるので香りとしては甘い香りか南国系の香りを放出するように駆動回路１６０７に信号を送る。１８〜２５℃の場合には暑くも寒くもなく中間的な気温であるので木の香りを放出し，２５℃以上の場合には暑さを感じるので涼しい香りであるハーブ系の香りを放出するように駆動回路１６０７を制御する。
【０１２０】
また，湿度が７０％を越えると鬱陶しい感覚になるのでハーブ系の香りを放出し，３０％以下になると空気がパサパサし，鼻や喉に渇きを感じるようになるので甘い香りや南国系の香りを放出するようにする。
【０１２１】
さらに温度や湿度の組み合わせにより，放出する香りの配分を細かく調整したり，さらに他の香り（花の香りや，柑橘系の香り等）を用いても良い。
【０１２２】
また，センサーＣ（匂いセンサー）を，煙草の匂い（煙）に反応する構成として，煙草の匂いを検知した場合に，煙草の匂いを消香する消香液と，ハーブ系の香りを放出するようにしても良い。
【０１２３】
前述したように実施の形態５によれば，実施の形態１と同様の効果に加えて，さらに環境の状況に応じて，香りを放出したり，香りの内容を変更したりできるので，より快適な環境を提供することができる。
【０１２４】
〔実施の形態６〕
図１７は，実施の形態６の制御型芳香出力装置１７００のブロック構成図を示す。実施の形態６は，図１で示した実施の形態１の構成に加えて，さらに空気の清浄および嗅覚の正常化を行うためにマイナスイオンを発生するマイナスイオン発生器１７０１を設けたものである。なお，基本的な構成および動作は実施の形態１と同様につき，ここでは異なる部分のみを説明する。
【０１２５】
マイナスイオン発生器１７０１は，例えば，図１８に示すように，金属ワイヤ１８０１，金属プレート１８０２，電源１８０３およびスイッチ１８０４で簡単に構成することができる。
【０１２６】
マイナスにイオン化された空気は身体のために良いことが知られており，鼻には爽やかな匂いとして感じられる。このマイナスイオンを香料および消香液と組み合わせて複合的に利用することにより，さらに本発明の制御型芳香出力装置の効果的な利用が可能となる。
【０１２７】
具体的には，長時間，香料を放出したり，消香したりすると，狭い部屋等では空気が濁ってしまい，別の香りを発生させたときに，本来の香りがしない場合がある。そこで，制御部１０６の制御によって，香料の放出および消香を行った後，マイナスイオン発生器１７０１を駆動してマイナスイオンを発生させ，空気の清浄および嗅覚の正常化を行う。これによって，さらに所望の香りを効果的に利用することができるようになる。
【０１２８】
また，香料の放出と同時に，マイナスイオン発生器１７０１を制御して空気の清浄および嗅覚の正常化を行っても良い。例えば，森林の映像と組み合わせて木の香りと共に，マイナスイオンを発生させることにより，さらに効果的に森林浴を演出することができる。
【０１２９】
また，香料の放出を継続的に行う場合，マイナスイオン発生器１７０１を制御して所定の周期で空気の清浄および嗅覚の正常化を行うようにしても良い。これによって，香りにゆらぎを与えることができ，連続した香りの刺激によって一時的に鈍化していた嗅覚を正常化して，香りを新鮮に感じさせることができる。
【０１３０】
〔実施の形態７〕
実施の形態７の制御型芳香出力装置は，図１に示した実施の形態１の制御型芳香出力装置１００から消香液格納部１０３および消香液放出器１０４を取り除いた構成であり，香料の放出のみを行うものである。
【０１３１】
図１９は，実施の形態７の制御型芳香出力装置１９００のブロック構成図を示し，それぞれ異なる種類の香料を格納する複数の香料格納部１０１と，複数の香料格納部１０１に対応して配置され，対応する香料格納部１０１に格納されている香料を取り出して空気中に放出する複数の香料放出器１０２と，装置外部から所定の制御信号を入力するためのＩ／Ｆ（インターフェース）回路１０５と，Ｉ／Ｆ回路１０５を介して入力した制御信号に基づいて，複数の香料放出器１０２を制御して香料の放出を行う制御部１０６と，複数の香料放出器１０２から放出された香料を装置外部へ送出するための送風ファン１０７と，香料を送り出すための送風口１０８，装置外部から空気を取り込むための吸入口１０９と，から構成される。
【０１３２】
なお，実施の形態７の制御型芳香出力装置１９００において，当然のことながら制御部１０６は香料の消香に関する制御は行わず，香料の放出の制御のみを行うものである。
【０１３３】
また，詳細な説明は省略するが，香料格納部１０１および香料放出器１０２の具体的な配置としては，図３に示した実施の形態１の配置例から液体放出器Ｂ１〜Ｂ１３および液体格納部Ｂ１’〜Ｂ１３’を取り除いた配置を用いることができる。換言すれば，液体放出器Ａ１〜Ａ１３（香料放出器１０２）および液体格納部Ａ１’〜Ａ１３’（香料格納部１０１）のみを配置した構成となる。
【０１３４】
以上の構成において，制御部１０６は，Ｉ／Ｆ回路１０５を介して外部装置から入力した制御信号に基づいて，液体放出器Ａ１〜Ａ１３を制御して，香料の放出を行うので，一台の装置で，必要に応じて，所望の香りを発生させたり，香りを変更したりすることができ，香りを情報として扱うことができる。
【０１３５】
また，実施の形態７の制御型芳香出力装置１９００によれば，香りの情報を制御信号として扱うことができるので，情報提供者が必要なときに制御信号を用いて香りの情報を提供することができる。また，自分の気分にしたがって，所望の香りを発生させることができる。例えば，落ち着きたいとき，活動的になりたいとき，ムードを演出したいとき等，香りを使い分けることができる。
【０１３６】
〔実施の形態８〕
実施の形態８の制御型芳香出力装置は，実施の形態４の熱昇華型の香料および熱昇華型の消香剤を用いた制御型芳香出力装置１０００から，消香剤格納部１００３および消香剤放出器１００４を取り除いた構成であり，香料の放出のみを行うものである。
【０１３７】
図２０は，実施の形態８の制御型芳香出力装置２０００のブロック構成図を示し，それぞれ異なる種類の熱昇華型の香料を格納する複数の香料格納部１００１と，複数の香料格納部１００１に対応して配置され，対応する香料格納部１００１に格納されている香料を加熱昇華させて空気中に放出する複数の香料放出器１００２と，装置外部から所定の制御信号を入力するためのＩ／Ｆ（インターフェース）回路１００５と，Ｉ／Ｆ回路１００５を介して入力した制御信号に基づいて，複数の香料放出器１００２を制御して，香料の放出を行う制御部１００６と，複数の香料放出器１００２から放出された香料を装置外部へ送出するための送風ファン１００７と，香料を送り出すための送風口１００８と，装置外部から空気を取り込むための吸入口１００９と，から構成される。
【０１３８】
なお，実施の形態８の制御型芳香出力装置２０００において，当然のことながら制御部１００６は香料の消香に関する制御は行わず，香料の放出の制御のみを行うものである。
【０１３９】
また，詳細な説明は省略するが，複数の香料格納部１００１としては，図１１に示した実施の形態４の感熱タイプのロールシート１１００と同様の構造を用いることができる。ただし，実施の形態８では，ロールシート上に，香料格納部１００１に相当する複数のテープ状の領域Ａ１’〜Ａ１３’のみが配置されているものとする。このロールシート上をある程度加熱すると，熱昇華型の香料が昇華して，香料が空気中に放出される。
【０１４０】
また，実施の形態８の香料放出手段である複数の香料放出器１００２は，具体的には，実施の形態４と同様にサーマルヘッドを用いるものである。
【０１４１】
以上の構成において，制御部１００６は，Ｉ／Ｆ回路１００５を介して外部装置から入力した制御信号に基づいて，サーマルヘッド（複数の香料放出器１００２）を制御して，香料の放出を行うので，一台の装置で，必要に応じて，所望の香りを発生させたり，香りを変更したりすることができ，香りを情報として扱うことができる。
【０１４２】
また，実施の形態８の制御型芳香出力装置２０００によれば，実施の形態７と同様の効果に加えて，香料格納手段として，熱昇華型の香料を直接シート上にかつスプライト状に塗布した感熱タイプのロールシートを用いるので，取扱いが容易であると共に，安価に形成することができる。
【０１４３】
さらに，香料放出手段として，サーマルヘッドを用いることができるので，簡単かつ安価に構成することができる。
【０１４４】
〔実施の形態９〕
実施の形態９は，香料格納手段および香料放出手段を１つずつ配置したものである。前述した実施の形態１〜実施の形態８では，香料格納手段および香料放出手段をそれぞれ複数配置した例を示したが，最も簡単な構成としては，香料格納手段および香料放出手段を１つずつ配置しても良い。
【０１４５】
図２１は，実施の形態９の制御型芳香出力装置２１００のブロック構成図を示し，香料を格納する香料格納部２１０１と，香料格納部２１０１に格納されている香料を取り出して空気中に放出する香料放出器２１０２と，装置外部から所定の制御信号を入力するためのＩ／Ｆ（インターフェース）回路２１０３と，Ｉ／Ｆ回路２１０３を介して入力した制御信号に基づいて，香料放出器２１０２を制御して，香料の放出を行う制御部２１０４と，香料を送り出すための送風口２１０５と，から構成される。
【０１４６】
なお，香料格納部２１０１および香料放出器２１０２の具体的な構成は，実施の形態１〜実施の形態８で示したものを適用することができるのは明らかである。
【０１４７】
このような構成において，実施の形態９によれば，一台の装置で，必要に応じて香りを発生させることができる。また，香りを情報として扱えるので，情報提供者が必要なときに制御信号を用いて香りの情報を提供することができる。
【０１４８】
【発明の効果】
以上説明したように，請求項１に係る発明によれば、所定の制御信号に基づいて，香料の放出を行う制御型芳香出力装置において，複数の香料を格納する複数の香料格納手段と，前記複数の香料格納手段に対応して配置され，対応する前記香料格納手段に格納されている香料を取り出して瞬時に空気中に放出する複数の香料放出手段と，空気中に放出されて所望の合成香を得るために前記所定の制御信号に基づいて，選択された複数の香料放出手段を瞬時に作動させるよう制御する制御手段と，を備えたことで、一台の装置で，必要に応じて，所望の香りを発生させたり，香りを変更したりできる。また，香りを情報として扱えるので，情報提供者が必要なときに制御信号を用いて香りの情報を提供することができる。また、複数の香料放出手段から複数の香料を放出して香料を合成して所望の芳香を得るため，香料（香りの素）を組み合わせて所望の香りを得ることができる。
【０１４９】
また，請求項１にかかる発明によれば，前記香料の香りを打ち消す消香材を格納する複数の消香材格納手段と，前記複数の消香材格納手段に対応して配置され，対応する前記消香材格納手段に格納されている消香材を取り出して空気中に放出する複数の消香材放出手段と，を備え，前記制御手段は，さらに前記所定の制御信号に基づいて，前記複数の香料放出手段を選択し，かつ複数の消香材放出手段を選択することで，一台の装置で，必要に応じて，所望の香りを発生させたり，香りを変更したり，香りを止めたり，香りを消したりできるようにして，香りを情報として扱うことができる。また，香りの情報を制御信号として扱うことができるので，情報提供者が必要なときに制御信号を用いて香りの情報を提供することができる。
【０１５０】
また，請求項２にかかる発明によれば，前記制御手段は，前記香料の放出または消香を行った後，前記マイナスイオン発生手段を制御することで，空気の清浄および嗅覚の正常化を行うことができ，香りを効率的に利用することができる。
【図面の簡単な説明】
【図１】実施の形態１の制御型芳香出力装置のブロック構成図である。
【図２】実施の形態１の香料放出器および消香材放出器の構成図である。
【図３】実施の形態１の香料放出器，香料格納部，消香材放出器および消香材格納部の具体的な配置例を示す説明図である。
【図４】同図（ａ）は制御型芳香出力装置をパソコン（またはワークステーション）の出力装置として接続した例を示し，同図（ｂ）は制御型芳香出力装置をネットワークに直接またはパソコンを介して接続し，ホスト装置の出力装置として接続した例を示す説明図である。
【図５】制御型芳香出力装置をテレビの出力装置として接続した例を示す説明図である。
【図６】制御型芳香出力装置をエアコン（空調機器）の出力装置として接続した例を示す説明図である。
【図７】実施の形態２の香料放出器および消香材放出器の構造を示す説明図である。
【図８】実施の形態３の樹脂カプセルを塗布したロールシート（芳香シート）の構造を示す説明図である。
【図９】実施の形態３の香料放出手段および消香材放出手段の構成を示す説明図である。
【図１０】実施の形態４の制御型芳香出力装置のブロック構成図である。
【図１１】実施の形態４の感熱タイプのロールシート（芳香シート）の構造を示す説明図である。
【図１２】実施の形態４の香料放出手段および消香剤放出手段であるサーマルヘッドの配置を示す説明図である。
【図１３】実施の形態４のサーマルヘッドの構成を示す説明図である。
【図１４】実施の形態５の制御型芳香出力装置である卓上型環境コンデイショナーの外観図である。
【図１５】実施の形態５の制御型芳香出力装置である卓上型環境コンデイショナーの電気回路図である。
【図１６】実施の形態５の卓上型環境コンデイショナーの芳香発生ユニットのブロック図である。
【図１７】実施の形態６の制御型芳香出力装置のブロック構成図である。
【図１８】実施の形態６のマイナスイオン発生器の構成例を示す説明図である。
【図１９】実施の形態７の制御型芳香出力装置のブロック構成図である。
【図２０】実施の形態８の制御型芳香出力装置のブロック構成図である。
【図２１】実施の形態９の制御型芳香出力装置のブロック構成図である。
【図２２】実施の形態１の制御型芳香出力装置の制御部の構成例を示す説明図である。
【符号の説明】
１００    制御型芳香出力装置
１０１    香料格納部
１０２    香料放出器
１０３    消香材格納部
１０４    消香材放出器
１０５    Ｉ／Ｆ回路
１０６    制御部
１０７    送風ファン
１０８    送風口
１０９    吸入口
Ａ１〜Ａ１３    液体放出器（香料放出器）
Ｂ１〜Ｂ１３    液体放出器（消香材放出器）
Ａ１’〜Ａ１３’    液体格納部（香料格納部）
Ｂ１’〜Ｂ１３’    液体格納部（消香材格納部）
８００    ロールシート
８０１    樹脂カプセル
１０００    制御型芳香出力装置
１００１    香料格納部
１００２    香料放出器
１００３    消香剤格納部
１００４    消香剤放出器
１００５    Ｉ／Ｆ回路
１００６    制御部
１００７    送風ファン
１００８    送風口
１００９    吸入口
１１００    感熱タイプのロールシート
１１０１    熱昇華型の香料（または消香剤）
１１０２    ベース素材
１１０３    バインダー
１２０１    サーマルヘッド
１４０１    卓上型環境コンデイショナー（制御型芳香出力装置）
１４０２    磁気カード
１５０１    芳香発生ユニット
１６０２    ＣＰＵ（制御手段）
１７００    制御型芳香出力装置
１７０１    マイナスイオン発生器
１９００    制御型芳香出力装置
２０００    制御型芳香出力装置
２１００    制御型芳香出力装置
２１０１    香料格納部
２１０２    香料放出器
【図１】
0003638201.tif 000002
【図２】
0003638201.tif 000003
【図３】
0003638201.tif 000004
【図４】
0003638201.tif 000005
【図５】
0003638201.tif 000006
【図６】
0003638201.tif 000007
【図７】
0003638201.tif 000008
【図８】
0003638201.tif 000009
【図９】
0003638201.tif 000010
【図１０】
0003638201.tif 000011
【図１１】
0003638201.tif 000012
【図１２】
0003638201.tif 000013
【図１３】
0003638201.tif 000014
【図１４】
0003638201.tif 000015
【図１５】
0003638201.tif 000016
【図１６】
0003638201.tif 000017
【図１７】
0003638201.tif 000018
【図１８】
0003638201.tif 000019
【図１９】
0003638201.tif 000020
【図２０】
0003638201.tif 000021
【図２１】
0003638201.tif 000022
【図２２】
0003638201.tif 000023